(57)【要約】【課題】コスト高となるのを抑える一方で、貯留タンクや補給樋等が破損しても、パチンコ玉が天井にこぼれるのを防ぐこと。【解決手段】パチンコ遊技場におけるホール天井の保護構造は、内側構造部（３３）とこの内側構造部からこぼれたパチンコ玉を受け入れる外側構造部（３５）とからなり、ホール天井裏（１３ｂ）に配置するパチンコ玉の循環経路部品（２５）と、パチンコ玉が外側構造部に入ったことを検出し、警報を発する警報手段（４１）と、を備える。【選択図】  図１
2004223140.tif 000002
【特許請求の範囲】
【請求項１】
内側構造部とこの内側構造部からこぼれたパチンコ玉を受け入れる外側構造部とからなり、ホール天井裏に配置するパチンコ玉の循環経路部品と、
パチンコ玉が前記外側構造部に入ったことを検出し、警報を発する警報手段と、を備える
ことを特徴とする、パチンコ遊技場におけるホール天井の保護構造。
【請求項２】
前記循環経路部品は、パチンコ玉の貯留タンクである
ことを特徴とする、請求項１に記載のパチンコ遊技場におけるホール天井の保護構造。
【請求項３】
前記貯留タンクよりも低い位置に配置するパチンコ玉の地上貯留タンクと、
前記外側構造部に入ったパチンコ玉を前記地上貯留タンクに導く誘導路と、を備える
ことを特徴とする、請求項２に記載のパチンコ遊技場におけるホール天井の保護構造。
【請求項４】
前記循環経路部品は、パチンコ玉の補給樋である
ことを特徴とする、請求項１に記載のパチンコ遊技場におけるホール天井の保護構造。
【発明の詳細な説明】
【０００１】
【発明の属する技術分野】
この発明はパチンコ遊技場におけるホール天井の保護構造に関する。
【０００２】
【従来の技術】
パチンコ遊技場では、各パチンコ機で遊技済みのパチンコ玉と、遊技者が獲得した、計数済みのパチンコ玉とを集合樋とよばれる樋によって下方の貯留タンクに集め、この貯留タンクから揚送装置によって上方の貯留タンクに持ち上げ、その後、補給樋を経てパチンコ玉を各パチンコ機に供給する循環経路を採用することがある。そして、この循環経路において、上方の貯留タンク及び補給樋を天井裏、すなわち天井と屋根又は上階の床との間の空間に配置することがある。
【０００３】
【発明が解決しようとする課題】
パチンコ玉が上方の貯留タンク又は補給樋からあふれ出たり、貯留タンク又は補給樋の破損によって生じた穴から転がり出たりする、いわゆる玉こぼれが起こることがある。貯留タンク及び補給樋を天井裏に配置した場合、これら貯留タンクや補給樋が天井によって遮られているため、玉こぼれを天井の下方から視認することはできない。その結果、こぼれ玉が天井に溜まってしまい、ついにはその重みで天井が破損してしまうおそれがある。
【０００４】
前記事故の発生を防ぐため、漏れ玉検知機構を配置したり（例えば、特許文献１参照）、貯留タンク用の戻り路を設けたり、補給樋にカバーを掛けたりしている。
【０００５】
【特許文献１】
特開平９−３２７５６２号公報（第２−４頁、図２−４）
【０００６】
漏れ玉検知機構による検知では、パチンコ玉が転がるシュートの上流及び下流側に配置したセンサを通過するパチンコ玉の数量を計数し、比較するところ、実際には面的な広がりで転がるパチンコ玉の数量を正確に計数するには、相当数のセンサと制御器が必要となり、コスト高の原因となる。加えて、例えば、補給樋の上流と下流とにセンサを配置して計数するとき、パチンコ玉が貯留タンクから天井にこぼれていても、補給樋を通過するパチンコ玉の数量は上流と下流とで実質的に同じであるから、貯留タンクからのこぼれを知ることはできない。これに対して、貯留タンクからあふれ出たパチンコ玉を戻り路を経て下方の貯留タンクに戻したり、補給樋にカバーを掛けて補給樋からのあふれ出を防止したりする構造にすれば、コスト高となるのを抑えつつ、初期の目的を達成できる。反面、貯留タンクや補給樋、カバー等が破損したとき、その破損個所から転がり出るパチンコ玉には対処できない。
【０００７】
【課題を解決するための手段】
この発明は、コスト高となるのを抑える一方で、貯留タンクや補給樋等が破損しても、パチンコ玉が天井にこぼれるのを防ぐことができる、パチンコ遊技場におけるホール天井の保護構造を提供することを課題とする。この課題を解決するため、この発明の発明者は、貯留タンク、補給樋その他の循環経路部品を二重構造にした。発明の詳しい内容については項を改めて説明する。なお、何れかの請求項に記載した発明に関する用語の定義などは、発明の性質に反しない限り、別の請求項に記載した発明にも適用されるものとする。
【０００８】
（請求項１に記載した発明の構成）
請求項１に記載した発明に係る、パチンコ遊技場におけるホール天井の保護構造（以下、請求項１の保護構造という）は、内側構造部とこの内側構造部からこぼれたパチンコ玉を受け入れる外側構造部とからなり、ホール天井裏に配置するパチンコ玉の循環経路部品と、パチンコ玉が前記外側構造部に入ったことを検出し、警報を発する警報手段と、を備えること特徴とする。内側構造部は、少なくとも正常時には、つまりパチンコ玉がこぼれない状態のときには、パチンコ玉が存在する部分である。これに対して、外側構造部は、パチンコ玉が内側構造部からあふれ出たり、内側構造部に生じた破損個所から転がり出たりしてこぼれた状態になったとき、パチンコ玉が存在する部分である。循環経路部品は、天井裏に配置する貯留タンクや補給樋、分配樋などである。パチンコ玉の循環経路に配置される循環経路部品のすべてを内側構造部と外側構造部とで構成する他、パチンコ玉がこぼれることが経験的に判明している循環経路部品のみを内側構造部と外側構造部とで構成することができる。警報手段はパチンコ玉を検出するセンサと、このセンサからの信号に基づいて警報を発する警報機とからなる。センサは、例えば、機械式又は電子式の、パチンコ機で使用しているものと同様のものを採用することができ、警報機はランプの点灯又は点滅方式、警報音を発する方式、ホールコンピュータに警報を入力する方式などを採用することができる。
【０００９】
（請求項１に記載した発明の作用効果）
請求項１の保護構造によれば、循環経路部品が内側構造部と外側構造部とからなるため、内側構造部からこぼれたパチンコ玉が外側構造部に入ることとなり、直接天井にこぼれるのを防止できる。加えて、パチンコ玉が内側構造部から外側構造部へこぼれたとき、警報手段によってパチンコ玉のこぼれを知らせるため、そのこぼれに速やかに対処できる。その結果、天井の破損のような事故を未然に防ぐことができる。
【００１０】
（請求項２に記載した発明の構成）
請求項２に記載した発明に係る、パチンコ遊技場におけるホール天井の保護構造（以下、請求項２の保護構造という）は、請求項１の保護構造に限定が加わり、前記循環経路部品は、パチンコ玉の貯留タンクであることを特徴とする。貯留タンクの場合、内側構造部からのパチンコ玉のオーバフロー、つまりあふれ出と、内側構造部の破損個所からの転がり出との２つによってパチンコ玉がこぼれる。したがって、外側構造部が内側構造部を被う構造とする。例えば、内側構造部及び外側構造部を共に、頂部が開口した箱状に、かつ、パチンコ玉が自由に動きうる間隔をおいて内側構造部が外側構造部の中に入るように形成する。内側構造部と外側構造部とを独立した箱の形態とする他、内側構造部の底部と外側構造部の底部とを共有にした形態とすることもできる。後者の場合、底部の厚みを側部の厚みより大きくし、破損が底部に生じないようにする。外側構造部は、常にパチンコ玉と接触する内側構造部とは異なり、こぼれたパチンコ玉が接触するのであるから、内側構造部と比べて強度的に弱い材料で、又は同じ材料ならば、厚みの小さい材料で作ることができる。
【００１１】
（請求項２に記載した発明の作用効果）
請求項２の保護構造によれば、パチンコ玉が常に貯留されている天井裏の貯留タンクを内側構造部と外側構造部とで形成し、内側構造部からのパチンコ玉のこぼれを警報するため、天井の破損防止効果を一層高めることができる。
【００１２】
（請求項３に記載した発明の構成）
請求項３に記載した発明に係る、パチンコ遊技場におけるホール天井の保護構造（以下、請求項３の保護構造という）は、請求項２の保護構造に限定が加わり、前記貯留タンクよりも低い位置に配置するパチンコ玉の地上貯留タンクと、前記外側構造部に入ったパチンコ玉を前記地上貯留タンクに導く誘導路と、を備えることを特徴とする。地上貯留タンクは天井裏の貯留タンクの真下にある必要はない。しかし、実質的に真下に配置することにより、地上貯留タンクから天井裏の貯留タンクへパチンコ玉を持ち上げる揚送装置を垂直に配置することができ、循環経路の簡単化やホール空間の有効活用を図ることができることから、真下であることが好ましい。誘導路は、例えば、ホースだけで、又は傾斜シュートとホースの組合せで作ることができる。
【００１３】
（請求項３に記載した発明の作用効果）
通常、天井裏の貯留タンクにあふれ出を防止するレベルセンサを取り付け、このレベルセンサからの信号によって揚送装置の作動を停止する方式を採用するが、レベルセンサの故障、劣化などが原因となってレベルセンサが充分にその機能を発現しない事故が起こりうる。換言すると、パチンコ玉が貯留タンクからあふれ出ているにも拘わらず、パチンコ玉の揚送を継続する事故が起こりうる。この場合、従来の貯留タンクでは、パチンコ玉が天井に溜まってしまい、天井を破損していたのは前記したとおりである。これに対して、請求項３の保護構造によれば、内側構造部からあふれ出たパチンコ玉ばかりでなく、内側構造部の破損個所から転がり出たパチンコ玉もまた、誘導路を経て地上貯留タンクに戻るため、揚送装置が揚送を継続していても、パチンコ玉が天井に溜まってしまう事故を未然に防ぐことができる。また、警報手段の警報によって、パチンコ玉が内側構造部からこぼれたことが分かるが、そのこぼれに直ちには対処できないとき、パチンコ玉を地上貯留タンクに戻すことによって、急場をしのぐことができる。
【００１４】
（請求項４に記載した発明の構成）
請求項４に記載した発明に係る、パチンコ遊技場におけるホール天井の保護構造（以下、請求項４の保護構造という）は、請求項１の保護構造に限定が加わり、前記循環経路部品は、パチンコ玉の補給樋であることを特徴とする。補給樋は、通常、傾斜シュートと、この傾斜シュートの両側に配置する一対のガイドとからなる。そして、カバーを取り付ける場合、カバーは一対のガイドに固定する。補給樋で起こるパチンコ玉のこぼれは、一対のガイドやカバーの破損、カバーの外れに主として起因する。そこで、傾斜シュートと一対のガイドとから内側構造部を形成する。一方、外側構造部は、一対のガイドから外方へそれぞれ間隔をおいた一対の側板と、これら側板相互を連結し、傾斜シュートの下側に配置する底板とから形成することができる。外側構造部はまた、一対の側板と、これら側板のそれぞれから傾斜シュートへ向けて延びる底板とから形成することができる。この場合、傾斜シュートの厚みをガイドの厚みより大きくし、傾斜シュートでは破損が生じないようにする。天井裏の補給樋はホッパに連結され、このホッパを経てパチンコ島内に配置する別の補給樋又は分配樋に連結される。そこで、外側構造部をホッパに連結して、こぼれ玉をホッパに回収することができる。
【００１５】
（請求項４に記載した発明の作用効果）
請求項４の保護構造によれば、補給樋からのパチンコ玉のこぼれに起因する天井の破損を防止できる上、補給樋からパチンコ玉がこぼれることによってパチンコ島への補給の円滑性が損なわれるのを防ぐことができる。
【００１６】
【発明の実施形態】
次に、図面を参照してこの発明の実施形態について説明する。図面中、図１はパチンコ遊技場に設けるパチンコ島と、パチンコ玉の循環経路とを示す側面図、図２は補給樋とパチンコ島の上部とを示す拡大側面図、図３は図２の平面図、図４は図２の左方から見た拡大正面図、図５は図２のＡ−Ａ線に沿って切断した拡大断面図である。
【００１７】
（パチンコ遊技場の概略構成）
パチンコ遊技場は、複数のパチンコ島１１を備え、ホール１３を形成している（図１には１つのパチンコ島を示してある）。パチンコ島１１は、複数のパチンコ機１５を横方向（紙背方向）へ配列すると共に、このような２つの配列を、遊技面がパチンコ島１１の外方へ向くように背中合わせに配置して作られている。パチンコ島１１内には、各パチンコ機１５で遊技に供されたパチンコ玉を一箇所に集めるための集合樋（図示を省略）を配置してあり、この集合樋を経て前記一箇所に集められたパチンコ玉を揚送研磨機１７に導くための回収樋１９をホール１３の床１３ａに設置してある。揚送研磨機１７の出口に地上貯留タンク２１を、さらに地上貯留タンク２１の出口２１ａに揚送装置２３をそれぞれ設置する。そして、揚送装置２３の出口に貯留タンク２５を設置し、分配樋２７を貯留タンク２５に、補給樋２９を分配樋２７にそれぞれ連結し、補給樋２９の出口を、パチンコ島１１内へパチンコ玉Ｐ，Ｐ・・を供給するホッパ３１に連結する。前記構成自体は公知である。
【００１８】
各パチンコ機１５で遊技に供されたパチンコ玉Ｐ，Ｐ・・は、回収樋１９を経て揚送研磨機１７に至り、ここで持ち上げられる間に研磨される。研磨されたパチンコ玉は、地上貯留タンク２１内に落下し、出口２１ａに向けて下向き傾斜した底面２１ｂ上を転がり、出口２１ａに至る。そして、出口２１ａから揚送装置２３に入り、揚送装置２３によって貯留タンク２５に持ち上げられる。貯留タンク２５内のパチンコ玉Ｐ，Ｐ・・は分配樋２７を経て補給樋２９に至り、さらに補給樋２９からホッパ３１を経てパチンコ島１１に供給される。
【００１９】
前記構成により、パチンコ玉Ｐ，Ｐ・・の循環経路が形成される。すなわち、パチンコ玉Ｐ，Ｐ・・は、パチンコ島１１、回収樋１９、揚送研磨機１７、地上貯留タンク２１、揚送装置２３、貯留タンク２５、分配樋２７、補給樋２９、ホッパ３１の各循環経路部品を経て循環する。前記循環経路のうち、貯留タンク２５と、分配樋２７と、補給樋２９とがホール１３の天井裏１３ｂに位置しており、さらに揚送装置２３の一部が天井裏１３ｂに位置する。
【００２０】
（循環経路部品の構成）
この発明では、循環経路にある循環経路部品のうち、天井裏１３ｂに配置する循環経路部品であって所要のものを、内側構造部とこの内側構造部からこぼれたパチンコ玉を受け入れる外側構造部との、いわゆる二重構造で構成すると共に、パチンコ玉が前記外側構造部に入ったことを検出し、警報を発する警報手段を備える。天井裏１３ｂに配置する循環経路部品の全てを二重構造にすることもでき、経験的に玉こぼれが起こり易いとされる任意の循環経路部品を二重構造にすることもできる。
【００２１】
図示の実施形態では、貯留タンク２５と、補給樋２９とを内側構造部及び外側構造部からなる二重構造にしてある。
【００２２】
貯留タンク２５は、内側構造部３３と、外側構造部３５とからなる。内側構造部３３は、揚送装置２３の出口２３ａから落下するパチンコ玉Ｐ，Ｐ・・を受け入れるように、頂部を開口した全体に箱の形態である。内側構造部３３は、下向き傾斜し、分配樋２７に連結される傾斜樋３３ａを出口に有し、さらに傾斜樋３３ａに向けて下向き傾斜している底面３３ｂを有する。内側構造部３３の底板に一対の支柱フレーム３３ｃを取り付け、これら支柱フレーム３３ｃを枠体３７の下板３７ａに載せて固定し、内側構造部３３は天井裏１３ｂに設置されている。
【００２３】
一方、外側構造部３５は、内側構造部３３を囲むように形成し、頂部を開口した全体に箱の形態である。外側構造部３５の底板３５ａに支柱フレーム３３ｃが貫通する穴を開けて、支柱フレーム３３ｃを貫通させると共に、底板３５ａを枠体３７の上板３７ｂに載せて固定し、外側構造部３５は天井裏１３ｂに設置されている。外側構造部３５は、出口３５ｃに向けて、すなわち図示の実施形態では左方へ向けて下向き傾斜した底面３５ｂを有する。したがって、内側構造部３３からこぼれたパチンコ玉Ｐ，Ｐ・・は外側構造部３５に入り、底面３５ｂ上を転がって出口３５ｃに集まる。
【００２４】
図示の実施形態では、誘導路３９を外側構造部３５の出口３５ｃに配置してある。誘導路３９は、外側構造部３５に入ったパチンコ玉を地上貯留タンク２１に導くもので、出口３５ｃに連結した傾斜シュート３９ａと、傾斜シュート３９ａに連結して垂直に配置され、地上貯留タンク２１まで延びているホース３９ｂとからなる。
【００２５】
警報手段４１を誘導路３９の出口に設置してある。警報手段４１は、パチンコ玉Ｐ，Ｐ・・の誘導路３９通過を検知するセンサ４３と、センサ４３からの信号に基づいて警報を発する警報機４５とからなる。センサ４３がパチンコ玉の通過を検知し、警報機４５が警報を発すると、誘導路３９が貯留タンク２５の外側構造部３５に連結していることから、パチンコ玉Ｐ，Ｐ・・が外側構造部３５に入ったことが分かる。
【００２６】
補給樋２９は、内側構造部４７と、外側構造部４９とからなる。内側構造部４７は、ホッパ３１へ向けて下向き傾斜した傾斜シュート４７ａと、傾斜シュート４７ａの両側に取り付けた一対のガイド４７ｂ，４７ｂと、カバー４７ｃとからなる。カバー４７ｃは下側面に固着した複数のフック４７ｄを有し、これらフック４７ｄとカバー４７ｃとによって、一対のガイド４７ｂ，４７ｂの折り曲げた頂部を挟んで一対のガイド４７ｂ，４７ｂに取り付けられている。
【００２７】
一方、外側構造部４９は、内側構造部４７のガイド４７ｂ，４７ｂから外方へ間隔をおいた一対の側板４９ａ，４９ａと、側板４９ａ，４９ａ相互を連結する底板４９ｂとを有する。底板４９ｂは内側構造部４７の傾斜シュート４７ａと同じ傾斜角度でホッパ３１に向けて下向き傾斜しており、傾斜シュート４７ａを載せて支持している。ホッパ３１の補給樋２９に対面する部位３１ａ（図２参照）は開口となっている。そこで、外側構造部４９の側板４９ａ及び底板４９ｂのホッパ３１との交差部を溶接してホッパ３１と連結することが好ましい。外側構造部４９の底板４９ｂを図２に示すように、支柱フレーム４９ｃ，４９ｄに取り付け、支柱フレーム４９ｃ，４９ｄを天井に配置した補強板５１に載せて固定し、外側構造部４９は天井裏１３ｂに設置されている。なお、内側構造部４７は外側構造部４９に取り付けて天井裏１３ｂに設置する。この設置状態では、外側構造部４９の側板４９ａと底板４９ｂとが内側構造部４７を囲むため、内側構造部４７からこぼれたパチンコ玉は、外側構造部４９の底板４９ｂ上を転がり、ホッパ３１に入る。
【００２８】
警報手段５３をホッパ３１近傍にある外側構造部４９の底板４９ｂに設置してある。警報手段５３はパチンコ玉を検出するセンサ５５と、センサ５５からの信号に基づいて警報を発する警報機５７とからなる。
【００２９】
（循環経路部品の作用）
貯留タンク２５及び補給樋２９が正常であるとき、貯留タンク２５内のパチンコ玉Ｐ，Ｐ・・は分配樋２７から補給樋２９に、さらに補給樋２９からホッパ３１に至り、パチンコ島１１に供給される。貯留タンク２５の内側構造部３３が破損し、穴３３ｄ（図１）が生じたとき、補給樋２９へのパチンコ玉の供給は継続するが、穴３３ｄからこぼれ出たパチンコ玉Ｐ，Ｐ・・が外側構造部３５の底面３５ｂを転がる。そして、出口３５ｃに至ったパチンコ玉Ｐ，Ｐ・・は誘導路３９に入り、地上貯留タンク２１に戻る。その間にパチンコ玉Ｐ，Ｐ・・がセンサ４３によって検知され、警報機４５が警報を発する。また、貯留タンク２５のレベル検知センサ（図示を省略）が故障して働かないとき、揚送装置２３が働いているため、内側構造部３３からあふれ出たパチンコ玉Ｐ，Ｐ・・が同様に誘導路３９を経て地上貯留タンク２１に戻ることとなるが、パチンコ玉Ｐ，Ｐ・・がセンサ４３によって検知され、警報機４５が警報を発する。
【００３０】
補給樋２９の内側構造部４７からパチンコ玉Ｐ，Ｐ・・がこぼれると、パチンコ玉は外側構造部４９の底板４９ｂを転がり、ホッパ３１に入る。その間にパチンコ玉Ｐ，Ｐ・・がセンサ５５によって検知され、警報機５７が警報を発する。
【００３１】
【発明の効果】
この発明によれば、循環経路部品の内側構造部からパチンコ玉がこぼれたとき、外側構造部を転がるパチンコ玉を警報手段によって検知し、警報を発するため、パチンコ玉のこぼれに速やかに対処でき、天井の破損事故を未然に防ぐことができる。
【図面の簡単な説明】
【図１】パチンコ遊技場に設けるパチンコ島と、パチンコ玉の循環経路とを示す側面図である。
【図２】補給樋とパチンコ島の上部とを示す拡大側面図である。
【図３】図２の平面図である。
【図４】図２の左方から見た拡大正面図である。
【図５】図２のＡ−Ａ線に沿って切断した拡大断面図である。
【符号の説明】
１１            パチンコ島
１３            ホール
１３ａ          床
１３ｂ          天井裏
１５            パチンコ機
１７            揚送研磨機
１９            回収樋
２１            地上貯留タンク
２１ａ          出口
２１ｂ          底面
２３            揚送装置
２３ａ          出口
２５            貯留タンク
２７            分配樋
２９            補給樋
３１            ホッパ
３１ａ          補給樋と対面する部位
３３，４７      内側構造部
３５，４９      外側構造部
３３ａ          傾斜樋
３３ｂ          底面
３３ｃ          支柱フレーム
３３ｄ          穴
３５ａ          底板
３５ｂ          底面
３５ｃ          出口
３７            枠体
３７ａ          下板
３７ｂ          上板
３９            誘導路
３９ａ          傾斜シュート
３９ｂ          ホース
４１，５３      警報手段
４３，５５      センサ
４５，５７      警報機
４７ａ          傾斜シュート
４７ｂ          ガイド
４７ｃ          カバー
４７ｄ          フック
４９ａ          側板
４９ｂ          底板
４９ｃ，４９ｄ  支柱フレーム
５１            補強板
【図１】
2004223140.tif 000003
【図２】
2004223140.tif 000004
【図３】
2004223140.tif 000005
【図４】
2004223140.tif 000006
【図５】
2004223140.tif 000007